(57)【要約】      （修正有）【課題】アナログレコードプレーヤ及びミキシング装置を使用することなく、また、操作に熟練していないユーザでも、容易にビートメイク再生を行うことができる光ディスク再生装置を提供する。【解決手段】光ディスクのデータ並びに第１及び第２の音源データを記憶する記憶部と、操作部と、制御部とを備え、操作部は、モード選択部と、操作円盤部と、外周部と、操作円盤部の回転速度及び方向を検出する第１検出部と、操作円盤部の押圧を検出し第２検出信号を出力する第２検出部と、外周部に使用者の指が接触したことを検出し第３検出信号を出力する第３検出部とを備え、制御部は、第１再生モードの場合、第１検出信号と共に第２検出信号が出力されたとき第１検出信号に応じた速度及び順序でデータを読み出し、第２再生モードの場合、第２検出信号が出力される毎に第１音源データを読み出し、第３検出信号が出力される毎に第２音源データを読み出すよう制御する。【選択図】  図４
2007280436.tif 000002
【特許請求の範囲】
【請求項１】
光ディスクに記録されたオーディオデータを読み取る読取部と、
前記読取部が読み取ったオーディオデータ並びに第１の音源データ及び第２の音源データを記憶する記憶部と、
前記記憶部に記憶されたオーディオデータ、第１の音源データ及び第２の音源データの読み出しを指示する操作部と、
前記読取部、前記記憶部及び前記操作部を制御する制御部とを備え、
前記操作部は、第１の再生モードまたは第２の再生モードを選択するモード選択部と、回転可能に設けられた操作円盤部と、前記操作円盤部を載置する載置部と、前記操作円盤部の外周部分に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部とを備え、
前記制御部は、前記モード選択部により前記第１の再生モードが選択された場合、前記第１の検出部から前記第１の検出信号が出力されると共に前記第２の検出部から前記第２の検出信号が出力されたとき前記第１の検出部から出力された前記第１の検出信号に応じた読み出し速度及び読み出し順序で前記記憶部に記憶したオーディオデータを読み出すよう制御し、前記モード選択部により前記第２の再生モードが選択された場合、前記第２の検出部から前記第２の検出信号が出力される毎に前記記憶部に記憶した前記第１の音源データを読み出し、前記第３の検出部から前記第３の検出信号が出力される毎に前記記憶部に記憶した前記第２の音源データを読み出すよう制御することを特徴とする光ディスク再生装置。
【請求項２】
光ディスクに記録されたオーディオデータを読み取る読取部と、
前記読取部が読み取ったオーディオデータ並びに第１の音源データ及び第２の音源データを記憶する記憶部と、
前記記憶部に記憶されたオーディオデータ、第１の音源データ及び第２の音源データの読み出しを指示する操作部と、
前記読取部、前記記憶部及び前記操作部を制御する制御部とを備え、
前記操作部は、回転可能に設けられた操作円盤部と、前記操作円盤部を載置する載置部と、前記操作円盤部の外周部分に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部とを備え、
前記制御部は、前記第２の検出部から前記第２の検出信号が出力されてから予め定めた時間以内に前記第２の検出信号が出力されなくなった場合、前記記憶部に記憶した第１の音源データを読み出すよう制御し、前記第２の検出部から前記第２の検出信号が出力されてから予め定めた時間を超えて前記第２の検出信号が出力されている場合、前記第１の検出部から出力された前記第１の検出信号に応じた読み出し速度及び読み出し順序で前記記憶部に記憶したオーディオデータを読み出すよう制御し、前記第３の検出部から前記第３の検出信号が出力される毎に前記記憶部に記憶した前記第２の音源データを読み出すよう制御することを特徴とする光ディスク再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備えた光ディスク再生装置に関する。
【背景技術】
【０００２】
従来、ダンスクラブ等において、ディスクジョッキー（Disc Jockey（以下、ＤＪという。））がアナログレコードプレーヤやミキシング装置等のオーディオ再生装置を操作して様々な効果音を生成することが行われている。ＤＪは、アナログレコードを操作して擦れ音のような効果音を発生させるスクラッチ（SCRATCH）再生と呼ばれる特殊再生を行うことがある。ＤＪは、アナログレコードプレーヤを用いてスクラッチ再生を行う場合、再生中のアナログレコードを素早く通常の回転方向である時計回り方向又はその反対方向である反時計回り方向に強制的に手動で回すことにより擦れ音を発生させる。
【０００３】
また、このアナログレコードプレーヤによるスクラッチ再生と同様のスクラッチ再生を行うことが可能なＤＪ用CD（Compact Disc）プレーヤがある。このＤＪ用CDプレーヤは、ジョグダイヤルと記憶部（メモリ）を備え、CDから再生したオーディオデータをメモリに記憶し、ジョグダイヤルを時計回り方向又は反時計回り方向に回転することにより、メモリに記憶されたオーディオデータの読み出し速度と読み出し順序を制御し、アナログレコードによる擦れ音と同等の効果音を発生させる。このように、ＤＪは、CDに記録されたオーディオデータをＤＪ用CDプレーヤにより再生しているとき、ジョグダイヤルをアナログレコードと同じように回転操作して、アナログレコードと同様のスクラッチ再生を行うことができる（例えば、特許文献１参照。）。
【０００４】
さらに、ＤＪは、スクラッチ再生以外にもミキシング装置と２つのアナログレコードプレーヤを操作して、独自に作り上げたビートと音楽を再生するビートメイク（BEAT MAKE）再生と呼ばれる特殊再生を行うことがある。
【０００５】
図６は、ＤＪがビートメイク再生を行う場合に用いるアナログレコードプレーヤとミキシング装置を示す上面図である。
【０００６】
ＤＪがビートメイク再生を行う場合は、図６に示すように、第１のアナログレコードプレーヤ５０、第２のアナログレコードプレーヤ５１及びミキシング装置５２を用いる。第１のアナログレコードプレーヤ５０及び第２のアナログレコードプレーヤ５１は、それぞれ一定速度で回転するターンテーブル５０１と、このターンテーブル５０１に載置したアナログレコード５０４に記録されたオーディオ信号を読み取るレコード針５０３を備える。ターンテーブル５０１にはオーディオ信号が記録されたアナログレコード５０４が載置される。第１のアナログレコードプレーヤ５０及び第２のアナログレコードプレーヤ５１は、それぞれミキシング装置５２に接続され、レコード針５０３が読み取ったオーディオ信号をミキシング装置５２に出力する。
【０００７】
ミキシング装置５２は、第１のアナログレコードプレーヤ５０及び第２のアナログレコードプレーヤ５１から出力されたオーディオ信号を合成し、オーディオ信号増幅装置（図示しない）に出力する。オーディオ信号増幅装置は、ミキシング装置５２から出力されたオーディオ信号を増幅してスピーカ（図示しない）に出力する。スピーカは、オーディオ信号増幅装置から出力されたオーディオ信号を放音する。また、ミキシング装置５２は、自在に上下にスライド可能なスライダーを備えたピッチスライダー５０５を備える。ピッチスライダー５０５は、スライダーが中央の位置から上方にスライドするのに伴って、第２のアナログレコードプレーヤ５１から出力されたオーディオ信号の音程（ピッチ）を上げる。また、ピッチスライダー５０５は、スライダーが中央の位置から下方にスライドするのに伴って、第２のアナログレコードプレーヤ５１から出力されたオーディオ信号の音程（ピッチ）を下げる。
【０００８】
ビートメイク再生を行う場合、ＤＪは、後述するように第１のアナログレコードプレーヤ５０、第２のアナログレコードプレーヤ５１及びミキシング装置５２のピッチスライダー５０５をそれぞれ操作する。
【０００９】
第１のアナログレコードプレーヤ５０の操作方法としては、先ず、第１のアナログレコードプレーヤ５０のターンテーブル５０１を停止させた状態で第１のアナログレコードプレーヤ５０のターンテーブル５０１に載置されたアナログレコード５０４の記録面以外の上面の位置にレコード針５０３を載置し、次に、この状態でＤＪが独自のリズムに合わせてアナログレコード５０４の上面を指先で叩く。ＤＪがアナログレコード５０４を叩くことによって、アナログレコード５０４には振動が発生する。アナログレコード５０４の上面に載置されたレコード針５０３は、アナログレコード５０４の上面に発生した振動を読み取り、これをオーディオ信号としてミキシング装置５２に出力する。このようにＤＪが第１のアナログレコードプレーヤ５０のアナログレコード５０４の上面を独自のビートで叩くことによって、第１のアナログレコードプレーヤ５０からは、楽器のドラムを独自のリズムで叩いたようなビート音が出力される。
【００１０】
第２のアナログレコードプレーヤ５１及びミキシング装置５２の操作方法としては、先ず、第２のアナログレコードプレーヤ５１のターンテーブル５０１を一定速度で回転させた状態で、ＤＪが自らの指先でレコード針５０３の先端をターンテーブル５０１の外周部５０２に一定の圧力で接触させる。回転しているターンテーブル５０１の外周部５０２にレコード針５０３が接触することによって、第２のアナログレコードプレーヤ５１からは一定の音程のビープ音が出力される。また、ＤＪは、前述したように第２のアナログレコードプレーヤ５１のレコード針５０３の先端をターンテーブル５０１の外周部５０２に接触させた状態で、ミキシング装置５２のピッチスライダー５０５を上方または下方にスライドさせる操作を行う。ピッチスライダー５０５は、スライダーが上方にスライドするのに伴って第２のアナログレコードプレーヤ５１から出力されたビープ音の音程を高く変化させて出力し、また、スライダーが下方にスライドするのに伴って第２のアナログレコードプレーヤ５１から出力されたビープ音の音程を低く変化させて出力する。このため、ＤＪは、前述したように第２のアナログレコードプレーヤ５１のレコード針５０３の先端をターンテーブル５０１の外周部５０２に接触させた状態でピッチスライダー５０５のスライダーを自在に上下にスライドさせることによって、第２のアナログレコードプレーヤ５１から出力される一定の音程のビープ音をＤＪが希望する音程に変化させて出力することができる。
【００１１】
このように、ＤＪが第１のアナログレコードプレーヤ５０、第２のアナログレコードプレーヤ５１及びミキシング装置５２のピッチスライダー５０５をそれぞれ操作することによって、ミキシング装置５２からは、第１のアナログレコードプレーヤ５０から出力された独自のビート音と、第２のアナログレコードプレーヤ５１から出力されるビープ音をＤＪが希望する音程に変化させた音が合成して出力される。
【００１２】
以上により、ＤＪは、第１のアナログレコードプレーヤ５０、第２のアナログレコードプレーヤ５１及びミキシング装置５２のピッチスライダー５０５をそれぞれ操作することによって、楽器のドラムのようなビート音とＤＪが自在に音程を変化させた音を合成させて再生を行うビートメイク再生を行うことができる。
【００１３】
【特許文献１】特開２００１−３１２８５７号公報
【発明の開示】
【発明が解決しようとする課題】
【００１４】
特許文献１に記載されているＤＪ用ＣＤプレーヤは、前述したように、スクラッチ再生をすることができるが、ビートメイク再生をすることができない。このため、ＤＪがビートメイク再生を行うためには、ＤＪ用ＣＤプレーヤに加え、２つのアナログレコードプレーヤとミキシング装置が必要となり、ダンスクラブなどでこれらの装置を準備することが煩わしいものとなる。
【００１５】
また、図６に示すような２つのアナログレコードプレーヤとミキシング装置を用いてビートメイク再生を行う場合は、アナログレコードプレーヤ５０のターンテーブル５０１に載置されたアナログレコード５０４をＤＪが一定の力で叩く操作が必要となる。このとき、不用意に強い力でアナログレコード５０４を叩いてしまうと、アナログレコード５０４の上面に載置されたレコード針５０３が振動によって飛び跳ねてしまい、レコード針５０３が読み取る振動のテンポがずれてしまう虞がある。また、２つのアナログレコードプレーヤとミキシング装置を用いてビートメイク再生を行う場合は、ＤＪがレコード針５０３を持って、レコード針５０３の先端をターンテーブル５０１の外周部５０２に一定の力で接触させる操作が必要となる。このとき、回転するターンテーブル５０１の外周部５０２にレコード針５０３を一定の力で接触させることができずに不用意に強い力でレコード針５０３を外周部５０２に押しつけてしまうと、レコード針５０３が破損してしまう虞がある。このため、ＤＪは、２つのアナログレコードプレーヤとミキシング装置を用いてビートメイク再生を行うために、熟練した操作技術を有する必要がある。しかしながら、熟練した操作技術を有したＤＪでも、２つのアナログレコードプレーヤとミキシング装置を同時に操作することは容易なことではない。
【００１６】
本発明は、上記の課題を解決するためになされたものであり、アナログレコードプレーヤ及びミキシング装置を使用することなく、また、操作に熟練していないユーザでも、容易にビートメイク再生を行うことができる光ディスク再生装置を提供することを目的とする。
【課題を解決するための手段】
【００１７】
上記の課題を解決するために、本願の請求項１記載の発明は、光ディスク再生装置において、光ディスクに記録されたオーディオデータを読み取る読取部と、前記読取部が読み取ったオーディオデータ並びに第１の音源データ及び第２の音源データを記憶する記憶部と、前記記憶部に記憶されたオーディオデータ、第１の音源データ及び第２の音源データの読み出しを指示する操作部と、前記読取部、前記記憶部及び前記操作部を制御する制御部とを備え、前記操作部は、第１の再生モードまたは第２の再生モードを選択するモード選択部と、回転可能に設けられた操作円盤部と、前記操作円盤部を載置する載置部と、前記操作円盤部の外周部分に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部とを備え、前記制御部は、前記モード選択部により前記第１の再生モードが選択された場合、前記第１の検出部から前記第１の検出信号が出力されると共に前記第２の検出部から前記第２の検出信号が出力されたとき前記第１の検出部から出力された前記第１の検出信号に応じた読み出し速度及び読み出し順序で前記記憶部に記憶したオーディオデータを読み出すよう制御し、前記モード選択部により前記第２の再生モードが選択された場合、前記第２の検出部から前記第２の検出信号が出力される毎に前記記憶部に記憶した前記第１の音源データを読み出し、前記第３の検出部から前記第３の検出信号が出力される毎に前記記憶部に記憶した前記第２の音源データを読み出すよう制御することを特徴とする。
【００１８】
また、本願の請求項２記載の発明は、光ディスク再生装置において、光ディスクに記録されたオーディオデータを読み取る読取部と、前記読取部が読み取ったオーディオデータ並びに第１の音源データ及び第２の音源データを記憶する記憶部と、前記記憶部に記憶されたオーディオデータ、第１の音源データ及び第２の音源データの読み出しを指示する操作部と、前記読取部、前記記憶部及び前記操作部を制御する制御部とを備え、前記操作部は、回転可能に設けられた操作円盤部と、前記操作円盤部を載置する載置部と、前記操作円盤部の外周部分に設置される外周部と、前記操作円盤部の回転速度及び回転方向を検出し第１の検出信号を出力する第１の検出部と、前記操作円盤部が押圧されたことを検出し第２の検出信号を出力する第２の検出部と、前記外周部に使用者の指が接触したことを検出し第３の検出信号を出力する第３の検出部とを備え、前記制御部は、前記第２の検出部から前記第２の検出信号が出力されてから予め定めた時間以内に前記第２の検出信号が出力されなくなった場合、前記記憶部に記憶した第１の音源データを読み出すよう制御し、前記第２の検出部から前記第２の検出信号が出力されてから予め定めた時間を超えて前記第２の検出信号が出力されている場合、前記第１の検出部から出力された前記第１の検出信号に応じた読み出し速度及び読み出し順序で前記記憶部に記憶したオーディオデータを読み出すよう制御し、前記第３の検出部から前記第３の検出信号が出力される毎に前記記憶部に記憶した前記第２の音源データを読み出すよう制御することを特徴とする。
【発明の効果】
【００１９】
本発明の光ディスク再生装置によれば、アナログレコードプレーヤ及びミキシング装置を使用することなく、また、操作に熟練していないユーザでも、容易にビートメイク再生を行うことができる光ディスク再生装置を提供することができる。
【発明を実施するための最良の形態】
【００２０】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はDAC（Digital to Analog Converter）、１０は出力端子、１１は制御部、１２は操作部、１３は表示部を示す。本発明の一実施例である光ディスク再生装置１００は、操作部１２に操作円盤部とピッチスライダーを備え、操作円盤部の指示により、CDから再生しＲＡＭ８に記憶されたデジタルオーディオデータの読み出し速度及び読み出し順序を変えることができると共に、ピッチスライダーによって後述する第２の音源信号のピッチを変化させることができるＤＪ用のCDプレーヤである。
【００２１】
図２は、本実施例の光ディスク再生装置１００の操作部１２を示す上面図である。
図２において、１３は現在再生しているトラックの再生時間、トラックナンバー等を表示する表示部、１５は光ディスクに記録されているオーディオデータの再生の開始を指示するスタートボタン、１６は再生されているオーディオデータの停止を指示するエンドボタン、１７は操作モードを選択するモード選択ノブ、１８は後述する第２の音源信号のピッチを変化させるピッチスライダー、２３は操作により自在に回動する操作円盤部、３１は操作円盤部２３の外周に円環状に配設された外周部を示す。操作円盤部２３は、直径１０cm〜３０cmの大きさであり（アナログレコードの大きさに相当する。）、光ディスク再生装置１００の上面に取り付けられている。
【００２２】
スピンドルモータ２に固定されたターンテーブル１は、CDを固定する。操作部１２から再生開始の指示が入力されると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００２３】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００２４】
メモリ制御部７は、入力されたデジタルオーディオデータをＲＡＭ８に入力するよう制御する。ＲＡＭ８は、入力されたデジタルオーディオデータを記憶する。また、ＲＡＭ８は、予め、第１の音源データ及び第２の音源データがデジタルデータとして記憶されている。第１の音源データは、楽器のドラムと同様の音のデータであり、第２の音源データは、一定の音程のビープ音のデータである。ＲＡＭ８が記憶したデジタルオーディオデータ、第１の音源データ及び第２の音源データは、メモリ制御部７の制御により読み出されＤＡＣ９に入力される。ＤＡＣ９は、デジタルオーディオデータ、第１の音源データ及び第２の音源データをそれぞれアナログオーディオ信号、アナログ信号である第１の音源信号及び第２の音源信号に変換する。ＤＡＣ９により変換されたアナログオーディオ信号、第１の音源信号及び第２の音源信号は、それぞれ出力端子１０から出力される。
【００２５】
モード選択ノブ１７は、操作により再生モードとしてスクラッチ再生モードまたはビートメイク再生モードのいずれかを選択する操作ノブである。モード選択ノブ１７は、操作によりスクラッチ再生モードが選択されるとスクラッチ再生指示信号を出力し、ビートメイク再生モードが選択されるとビートメイク再生指示信号を制御部１１に出力する。
【００２６】
図３は、本実施例の光ディスク再生装置１００の操作部１２が備える操作円盤部を示す図で、図３（ａ）は操作円盤部が押圧されていない状態を示す断面図、図３（ｂ）は操作円盤部が押圧されている状態を示す断面図である。
図３（ａ）及び図３（ｂ）において、２１は載置部、２２はマット部、２３は操作円盤部、２３aは突起部、２４は保持部、２５は回転軸、２６はネジ、２７はスケール部、２７aはスリット部、２８はCDプレーヤの筐体部、２９は光センサ部、３０は押圧検出部、３０aは押圧検出部のスイッチ部、３１は外周部、３２は接触検出部を示す。
【００２７】
筐体部２８は、上面の中央部分が上方に突出した凸部２８１を備える。載置部２１は、内周部分が筐体部２８の凸部２８１に固定されている。マット部２２は、中心部に回転軸２５が挿入され載置部２１の上面に載置されている。操作円盤部２３は、中心部に回転軸２５が挿入されマット部２２の上面に載置されている。このマット部２２は、操作円盤部２３が載置部２１上で滑らかに回転するために用いられている。マット部２２は、操作円盤部２３と略同一の外形を有し、摩擦係数が小さく、静電気が発生しにくい樹脂材料等からなる。載置部２１、マット部２２及び操作円盤部２３は、ＤＪが用いるアナログレコードプレーヤにおいて、それぞれターンテーブル、スリップマット及びアナログレコードと対応する。このため、ＤＪは、アナログレコードプレーヤと同様の操作感覚で本実施例のCDプレーヤを操作することができる。また、載置部２１は、ポリカーボネート樹脂等からなる。ここで、操作円盤部２３として、載置部２１上で滑らかに回転することができ静電気が発生しにくい材料を用いれば、上述したマット部２２は、載置部２１と操作円盤部２３の間に備えられなくても良い。保持部２４は、中心部に回転軸２５が挿入され操作円盤部２３の上面に載置されており、保持部２４に設けられた図示しない凹部に操作円盤部２３に設けられた突起部２３aを挿入しネジ２６で回転軸２５に固定される。このため、操作円盤部２３は、回転操作されても回転軸２５から外れることがなく、マット部２２を介して載置部２１の上面で回転することができる。
【００２８】
スケール部２７は、中心部に回転軸２５が挿入され図示しないネジにより回転軸２５に固定されている。操作円盤部２３とスケール部２７は、回転軸２５を介して一体的な構造となっているため、操作円盤部２３が回転操作されると、スケール部２７も操作円盤部２３と同じ回転速度及び同じ回転方向で回転する。スケール部２７には、外周部にスリット部２７aが設けられている。スリット部２７aは、例えば、長方形状の開口部又はカーボンが含まれた印刷塗料による印刷によって形成されている。
【００２９】
本実施例の第１の検出部である光センサ部２９は、操作円盤部２３と共に回転するスケール部２７の回転速度及び回転方向を検出するために、２つの光センサを備え、スリット部２７aを検出できる位置で筐体部２８に固定されている。光センサ部２９は、スリット部２７aを検出すると、２つの光センサから位相が異なる（例えば、９０ーの位相差）パルス信号a及びパルス信号bを発生して制御部１１に出力する。本実施例では、この位相の異なるパルス信号a及びパルス信号bを回転検出信号という。
【００３０】
本実施例の第２の検出部である押圧検出部３０は、筐体部２８上において回転軸２５を中心とした半径Rの円の同一円周上に複数備えられている。この押圧検出部３０は、例えば、ソフトタッチタイプ（スイッチ部３０aを押し下げたとき、抵抗が小さい）のプッシュ型スイッチであり、スイッチ部３０aの移動量（ストローク）は、０．５mm程度である。
【００３１】
図３（ｂ）に示すように、本実施例のCDプレーヤの操作者（ＤＪ）が操作円盤部２３の外周部を押圧した場合、載置部２１、マット部２２及び操作円盤部２３は、凸部２８１の外周端を支点として押圧力により下方向に撓む。このとき、載置部２１の外周部が押圧検出部３０のスイッチ部３０aを押し下げると、押圧検出部３０は、押圧検出信号を制御部１１に出力する。
【００３２】
制御部１１は、入力される回転検出信号のパルス信号aとパルス信号bの位相差に基づいて操作円盤部２３の回転方向を判別する。例えば、パルス信号a及びパルス信号bの位相差が９０ーである場合、操作円盤部２３が時計回り方向に回転しているとき、パルス信号aは、パルス信号bに対して、＋９０ーの位相差となる。また、操作円盤部２３が反時計回り方向に回転しているとき、パルス信号aは、パルス信号bに対して、−９０ーの位相差となる。また、制御部１１は、一定時間に入力された回転検出信号のパルス信号a又はパルス信号bのどちらか一方のパルス信号のパルス数から操作円盤部２３の回転速度を判別する。
【００３３】
制御部１１は、モード選択ノブ１７からスクラッチ再生指示信号が出力されている場合に、押圧検出部３０からの押圧検出信号及び光センサ部２９からの回転検出信号が共に入力されたとき、判別した操作円盤部２３の回転速度及び回転方向に対応した読み出し速度及び読み出し順序でＲＡＭ８からデジタルオーディオデータを読み出すようにメモリ制御部７を制御する。メモリ制御部７は、ＲＡＭ８に記憶されたデジタルオーディオデータの読み出し速度及び読み出し順序（オーディオデータを昇順アドレスで読み出す又は降順で読み出す）を制御する。例えば、制御部１１は、操作円盤部２３が時計回り方向に回転操作されると、その回転速度に応じた読み出し速度で、ＲＡＭ８に記憶されたデジタルオーディオデータを昇順アドレスで読み出すように制御をする。また、操作円盤部２３が反時計回り方向に回転操作されると、その回転速度に応じた読み出し速度で、ＲＡＭ８に記憶されたデジタルオーディオデータを降順アドレスで読み出すように制御をする（スクラッチ再生）。
【００３４】
本実施例の第３の検出部である接触検出部３２は、外周部３１の上面に円環状に配設されている。接触検出部３２は、タッチセンサーを備え、このタッチセンサーに指先などが接触することにより接触信号を制御部１１に出力する。
【００３５】
制御部１１は、モード選択ノブ１７からビートメイク再生指示信号が出力されている場合に押圧検出部３０から押圧検出信号が入力されたとき、ＲＡＭ８に記憶されている第１の音源データを読み出すようにメモリ制御部７を制御する。メモリ制御部７は、制御部１１の制御により、ＲＡＭ８に記憶された第１の音源データを読み出してＤＡＣ９に出力する。ＤＡＣ９は、第１の音源データを第１の音源信号に変換して出力端子１０に出力する。
【００３６】
また、制御部１１は、モード選択ノブ１７からビートメイク再生指示信号が出力されている場合に接触検出部３２から接触信号が入力されると、この接触信号が入力されている間、ＲＡＭ８に記憶されている第２の音源データを読み出すようにメモリ制御部７を制御する。メモリ制御部７は、制御部１１の制御により、ＲＡＭ８に記憶された第２の音源データを読み出してＤＡＣ９に出力する。ＤＡＣ９により変換された第２の音源信号は、ピッチスライダー１８により次のように処理される。ピッチスライダー１８は、上面から見て自在に上下にスライドするスライダーを備え、スライダーが中央の位置から上方にスライドするのに伴って、第２の音源信号の音程（ピッチ）を上げる処理をする。また、ピッチスライダー１８は、スライダーが中央の位置から下方にスライドするのに伴って、第２の音源信号の音程（ピッチ）を下げる処理をする。このように、ピッチスライダー１８は、スライダーが上下にスライドされることによって、ＲＡＭ８から出力された第２の音源データの音程を上下に変化させた音を出力端子１０に出力する。（ビートメイク再生）
【００３７】
本実施例の光ディスク再生装置１００の再生動作について説明する。
ＤＪは、図２に示す操作部１２のスタートボタン１５を押すことにより、CDに記録されたオーディオデータの通常再生を開始させる。
【００３８】
スクラッチ再生を行う場合は、先ず、モード選択ノブ１７を操作してモード選択ノブ１７からスクラッチ再生指示信号が出力されるようにする。次に、ＤＪは、通常再生をしているときに手で操作円盤部２３の外周部を押しながら素早く時計回り方向又は反時計回り方向に回転させる。通常、アナログレコードプレーヤを用いてスクラッチ再生を行うとき、ターンテーブルの回転に逆らって素早くアナログレコードを回転させるために、ＤＪは、アナログレコードを押しながら回転操作を行う。また、アナログレコードを回転させるとき、ＤＪは、アナログレコードの内周部よりも外周部に手を添えるほうがアナログレコードを回転させ易い。このため、ＤＪがアナログレコードと同様の操作感覚で操作円盤部２３を操作すると、操作円盤部２３は、外周部が下方向に押圧されながら回転操作される。
【００３９】
ＤＪが操作円盤部２３の外周部を押しながら回転操作すると、図３（ｂ）に示すように、載置部２１、マット部２２及び操作円盤部２３は、凸部２８１の外周端を支点として押圧力により下方向に撓む。このとき、載置部２１の外周部が１又は複数の押圧検出部３０のスイッチ部３０aを押し下げると、押圧検出部３０は、押圧検出信号を制御部１１に出力する。また、光センサ部２９は、回転しているスリット部２７aを検出すると、回転検出信号（上述したパルス信号a及びパルス信号b）を発生して制御部１１に出力する。したがって、ＤＪが操作円盤部２３の外周部を押圧しながら回転操作を開始すると、押圧検出信号及び回転検出信号が制御部１１に出力される。
【００４０】
制御部１１は、押圧検出信号及び回転検出信号が共に入力されているとき、回転指示信号に基づいて判別した操作円盤部２３の回転速度及び回転方向に対応した読み出し速度及び読み出し順序でＲＡＭ８からデジタルオーディオデータを読み出すようにメモリ制御部７を制御する。
【００４１】
ＤＪが操作円盤部２３から手を離しスクラッチ再生を終了すると、載置部２１、マット部２２及び操作円盤部２３は、弾性により図３（ａ）に示すように操作円盤部２３が押圧される前の状態に戻る。載置部２１が押圧検出部３０のスイッチ部３０aを押し下げなくなると、押圧検出部３０は、制御部１１に押圧指示信号の出力を停止する。制御部１１は、押圧検出部３０から押圧指示信号が出力されなくなると、通常再生時の読み出し速度でＲＡＭ８からデジタルオーディオデータを読み出すようメモリ制御部７を制御する。
【００４２】
ビートメイク再生を行う場合は、先ず、モード選択ノブ１７を操作してモード選択ノブ１７からビートメイク再生指示信号が出力されるようにする。次に、ＤＪは、通常再生をしているときに、操作円盤部２３の上面を叩く操作を行う。制御部１１は、押圧検出部３０から押圧検出信号が入力されると、ＲＡＭ８に記憶されている第１の音源データを読み出すようにメモリ制御部７を制御する。
【００４３】
また、ＤＪがビートメイク再生を行う場合は、モード選択ノブ１７からビートメイク再生指示信号が出力されている状態で、外周部３１の接触検出部３２に指先を接触させる。制御部１１は、接触検出部３２から接触信号が入力されている間、ＲＡＭ８に記憶されている第２の音源データを読み出すようにメモリ制御部７を制御する。
また、ＤＪは、外周部３１の接触検出部３２に指先を接触させた状態のまま、ピッチスライダー１８を上下にスライドさせる。ピッチスライダー１８は、スライダーが上下にスライドされることによって、ＲＡＭ８から出力された第２の音源データの音程を上下に変化させた音を出力端子１０に出力する。
【００４４】
図４は、本実施例の光ディスク再生装置１００によって、通常再生、スクラッチ再生またはビートメイク再生を行う動作を示すフローチャート図である。
図４に示すように、先ず、制御部１１は、図２に示す操作部１２のスタートボタン１５が押されたか否かを検出する（ステップＳ１）。操作部１２のスタートボタン１５が押された場合、制御部１１は、通常再生時の読み出し速度でＲＡＭ８に記憶されたオーディオデータを読み出して通常再生を行うようメモリ制御部７を制御する（ステップＳ２）。次に、制御部１１は、モード選択ノブ１７からスクラッチ再生指示信号が出力されているか否かを検出し（ステップＳ３）、モード選択ノブ１７からスクラッチ再生指示信号が出力されている場合はステップＳ４に移行し、モード選択ノブ１７からスクラッチ再生指示信号が出力されていない場合はステップＳ８に移行する。
【００４５】
ステップＳ４において、押圧検出部３０から押圧検出信号が出力されたか否かを検出し、押圧検出部３０から押圧検出信号が出力されたときは、更に、光センサ部２９から回転検出信号が出力されたか否かを検出する（ステップＳ５）。光センサ部２９から回転検出信号が出力されたときは、光センサ部２９から出力される回転検出信号に対応した読み出し速度及び読み出し順序でＲＡＭ８からデジタルオーディオデータを読み出してスクラッチ再生をするようにメモリ制御部７を制御する（ステップＳ６）。
【００４６】
ステップＳ８において、モード選択ノブ１７からビートメイク再生指示信号が出力されている場合は、ステップＳ９に移行し、モード選択ノブ１７からビートメイク再生指示信号が出力されていない場合は、ステップＳ２に戻る。ステップＳ９において、制御部１１は、押圧検出部３０から押圧検出信号が出力されたか否かを検出し、押圧検出部３０から押圧検出信号が出力されないときはステップＳ１１に移行する。ステップＳ９において、押圧検出部３０から押圧検出信号が出力されたときは、ＲＡＭ８に記憶されている第１の音源データを読み出すようメモリ制御部７を制御し（ステップＳ１０）、ステップＳ１１に移行する。
【００４７】
ステップＳ１１において、制御部１１は、接触検出部３２から接触信号が出力されたか否かを検出し、接触検出部３２から接触信号が出力されたときは、ＲＡＭ８に記憶されている第２の音源データを読み出すようメモリ制御部７を制御する（ステップＳ１２）。
【００４８】
ステップＳ７において、図２に示す操作部１２のエンドボタン１６が押されたか否かを検出し、操作部１２のエンドボタン１６が押されない場合はステップＳ２に戻り、操作部１２のエンドボタン１６が押された場合はＲＡＭ８に記憶されたオーディオデータの再生を終了する。
【００４９】
図５は、本実施例の光ディスク再生装置１００において、モード選択ノブ１７がビートメイク再生モードに設定されている場合に、ＤＪが操作円盤部２３の上面を叩く操作、接触検出部３２に指先を接触させる操作及びピッチスライダー１８のスライダーを上下させる操作を行った過程と、そのときに出力端子１０から出力されるオーディオ信号の過程を示す図である。
【００５０】
図５に示すように、ＤＪが操作円盤部２３の上面を叩くことによって、図４のステップＳ８に示すように、ＲＡＭ８に記憶されている第１の音源データが読み出され、出力端子１０から楽器のドラムと同様の音の信号である第１の音源信号が出力される。また、ＤＪが接触検出部３２に指を接触させている間、図４のステップＳ１０に示すように、ＲＡＭ８に記憶されている第２の音源データが読み出される。このとき、図５に示すように、ＤＪがピッチスライダー１８のスライダーを上方にスライドさせることによって、第２の音源信号の音程が高く変化して出力端子１０から出力され、また、ピッチスライダー１８のスライダーを下方にスライドさせることによって、第２の音源信号の音程が低く変化して出力端子１０から出力される。
【００５１】
以上の構成により、本実施例の光ディスク再生装置１００は、モード選択ノブ１７をビートメイク再生モードにした後、ＤＪが操作円盤部２３の上面を独自のリズムで叩くことによって、楽器のドラムを独自のリズムで叩くようなビート音を出力させることができる。また、ＤＪが指先を外周部３１の上面に供える接触検出部３２に接触させることによって、一定のビープ音を出力させ、更に、この状態でピッチスライダー１８のスライダーを上下させることによって、一定の音程のビープ音の音程を変化させて出力することができる。このことにより、ＤＪは、操作円盤部２３の上面を叩く操作、外周部３１の接触検出部３２に指先を接触させる操作及びピッチスライダー１８のスライダーを操作することによって、楽器のドラムのようなビート音と自在に音程を変化させた音を合成させたビートメイク再生を行うことができる。
【００５２】
本実施例の光ディスク再生装置１００により、ＤＪは、従来のビートメイク再生を行う場合に必要な２つのアナログレコードプレーヤとミキシング装置を準備する必要がなく、また、アナログレコードプレーヤのターンテーブルに載置されたアナログレコードを一定の力で叩く操作や、レコード針５０３を持って、レコード針５０３の先端をターンテーブルの外周部に一定の力で接触させる操作のような熟練した操作技術を有さなくても、２つのアナログレコードプレーヤとミキシング装置を操作した場合と同様の操作を容易に行うことができる。
【００５３】
本実施例の光ディスク再生装置１００は、押圧検出部３０をプッシュ型スイッチとして説明したが、押圧検出部３０を光センサとしても良い。押圧検出部３０を光センサとした場合、載置部２１の外周部が予め定められた位置まで撓むと、この光センサが載置部２１の外周部を検出することができる位置に光センサを筐体部２８に固定することによって、操作円盤部２３が押圧されたことを検出することができる。
【００５４】
本実施例の光ディスク再生装置１００は、モード選択ノブ１７を操作することによってスクラッチモードまたはビートメイクモードを選択する構成としたが、操作円盤部２３の上面が押圧されてから予め定めた時間、例えば、０．０５秒以内に操作円盤部２３の押圧が解除されたか否かを検出し、０．０５秒以内に操作円盤部２３の押圧が解除された場合は、ビートメイクモードであると判断して第１の音源データを再生し、０．０５秒以内に操作円盤部２３の押圧が解除されなかった場合、つまり、０．０５秒を超えて操作円盤部２３が押圧されている場合は、スクラッチ再生モードであると判断して操作円盤部２３の回転に応じてスクラッチ再生を行う構成としても良い。
【００５５】
ビートメイク再生において、ＤＪが操作円盤部２３の上面を叩くときに操作円盤部２３を押圧する時間は、通常、０．０５秒以内である。一方、スクラッチ再生モードにおいて、ＤＪが操作円盤部２３の上面を回転させる場合は、操作円盤部２３を０．０５秒以上押圧することとなる。このことから、操作円盤部２３の上面が押圧されてから０．０５秒以内に操作円盤部２３の押圧が解除された場合はビートメイクモードであると判断して第１の音源データを再生し、０．０５秒以内に操作円盤部２３の押圧が解除されなかった場合は、スクラッチ再生モードであると判断して操作円盤部２３の回転に応じてスクラッチ再生を行う構成とすることにより、モード選択ノブ１７を操作せずとも、スクラッチモードまたはビートメイクモードの切換えを自動的に行うことができる。この構成とした場合は、操作円盤部２３の上面が押圧されてから０．０５秒の間、ビートメイク再生やスクラッチ再生が行えないことになるが、通常、ＤＪがビートメイク再生やスクラッチ再生を行う場合においては、この０．０５秒のタイムラグはビートメイク再生やスクラッチ再生に殆んど影響がない。なお、この場合、ビートメイク再生とスクラッチ再生を自動的に切り換えるための操作円盤部２３の上面が押圧されてから押圧が解除されるまでに検出する時間をＤＪ等の使用者が任意に設定できる構成としても良い。
【００５６】
また、この構成の場合、通常、スクラッチ再生を行う場合であっても、外周部３１に指を触れる操作は行わないことから、再生モードがスクラッチモードであるかビートメイクモードであるかに拘らず、外周部３１に備える接触検出部３２に指が接触した場合は、常に第２の音源データを再生する構成としておけば良い。
【００５７】
この構成により、光ディスク再生装置によってスクラッチ再生を行ってからビートメイク再生を行う場合や、ビートメイク再生を行ってからスクラッチ再生を行う場合、ＤＪがモード選択ノブ１７をその都度操作せずとも、自動的にスクラッチ再生とビートメイク再生の切換えを行うことができる。
【図面の簡単な説明】
【００５８】
【図１】本発明の一実施例である光ディスク再生装置の構成を示すブロック図。
【図２】本実施例の光ディスク再生装置１００の操作部１２を示す上面図。
【図３】本実施例の光ディスク再生装置１００の操作部１２が備える操作円盤部を示す図で、図３（ａ）は操作円盤部が押圧されていない状態を示す断面図、図３（ｂ）は操作円盤部が押圧されている状態を示す断面図。
【図４】本実施例の光ディスク再生装置１００によって、通常再生、スクラッチ再生またはビートメイク再生を行う動作を示すフローチャート図。
【図５】本実施例の光ディスク再生装置１００において、モード選択ノブ１７がビートメイク再生モードに設定されている場合に、ＤＪが操作円盤部２３の上面を叩く操作、接触検出部３２に指先を接触させる操作及びピッチスライダー１８のスライダーを上下させる操作を行った過程と、そのときに出力端子１０から出力されるオーディオ信号の過程を示す図。
【図６】ＤＪがビートメイク再生を行う場合に用いるアナログレコードプレーヤとミキシング装置を示す上面図。
【符号の説明】
【００５９】
１  ターンテーブル、２  スピンドルモータ、３  サーボ制御部、４  光ピックアップ、
５  再生アンプ、６  信号処理部、７  メモリ制御部、８  ＲＡＭ、９  ＤＡＣ、
１０  出力端子、１１  制御部、１２  操作部、１３  表示部、
１５  スタートボタン、１６  エンドボタン、１７  モード選択ノブ、
１８  ピッチスライダー、
２１  載置部、２２  マット部、２３  操作円盤部、２３ａ  突起部、２４  保持部、
２５  回転軸、２６  ネジ、２７  スケール部、２７ａスリット部、
２８  筐体部、２８１  凸部、
２９  光センサ部、３０  押圧検出部、３０ａ  スイッチ部、
３１  外周部、３２  接触検出部、
５０  第１のアナログレコードプレーヤ、５１  第２のアナログレコードプレーヤ５１、
５０１  ターンテーブル、５０２  外周部、
５０３  レコード針、５０４  アナログレコード、
５２  ミキシング装置、５０５  ピッチスライダー
【図１】
2007280436.tif 000003
【図２】
2007280436.tif 000004
【図３】
2007280436.tif 000005
【図４】
2007280436.tif 000006
【図５】
2007280436.tif 000007
【図６】
2007280436.tif 000008